(57)【要約】      （修正有）【課題】ＬＥＤ等電球の出射光の照射範囲を拡張できて光線を多方向性に出射できる電球を提供する。【解決手段】電球ベース１と、中空本体２と、発光素子と、導光棒４とを含む。中空本体がベース前段に装着され、前記中空本体は複数のスリット２１を有し、複数のスリットは、中空本体の側壁に開設される。発光素子がベースの一端に装着され前記中空本体内に収容される。導光棒４が発光素子の上縁に配置される。発光素子からの光は導光棒４により案内され、導光棒４の先端から、並びに導光棒４の周縁から複数のスリット２１を介して光を出射する。【選択図】図１
0003161541.tif 000002
【実用新案登録請求の範囲】
【請求項１】
電球ベースと、
前記ベース前段に装着され、側壁に複数のスリットが開設される中空本体と、
前記ベースの一端に装着され、前記中空本体内に収容される発光素子と、
前記発光素子の上縁に配置される導光棒とを含み、
前記発光素子からの光は、前記導光棒により案内され、前記導光棒の先端から、並びに前記導光棒の周縁から前記複数のスリットを介して光を出射することを特徴とする電球。
【請求項２】
前記ベースの一端側に、外部電力のねじ穴に接続するための口金部を有することを特徴とする請求項１に記載の電球。
【請求項３】
前記発光素子は、発光ダイオードであることを特徴とする請求項１に記載の電球。
【請求項４】
さらに、前記中空本体の端縁に位置される電球カバーを含み、前記電球カバーに貫通孔を備えることを特徴とする請求項１に記載の電球。
【請求項５】
前記導光棒に段差部が設けられ、前記電球カバーの貫通孔の下方周縁が前記段差部に当接されることを特徴とする請求項４に記載の電球。
【請求項６】
前記電球カバーは放熱カバーであることを特徴とする請求項４に記載の電球。
【請求項７】
さらに、前記中空本体の外面に対応して嵌合する絶縁シェルを含むことを特徴とする請求項１に記載の電球。
【請求項８】
前記中空本体の側壁は、複数の離間する壁体からなり、前記スリットは、壁体と壁体との間に位置されることを特徴とする請求項１に記載の電球。
【請求項９】
前記壁体は放熱フィンであることを特徴とする請求項８に記載の電球。
【考案の詳細な説明】
【技術分野】
【０００１】
本考案は電球に係り、特に多方向的な領域の出射光を有する電球に関するものである。
【背景技術】
【０００２】
従来の電球は、壁または天井等のあらゆる平面に設けられ、周囲の環境に光を照射するとともに、所定の環境に対して特別な照明を行なうか否かを決める。
一般に、LED電球は、天井や、壁または電球ベースに固定され、その配置位置が固定され移動できないようになっているので、LED電球の照射可能な範囲は、固定で照射方向が単一になり、照射面が狭い。一旦、照射の輝度が足りなく、方向が良くなく、或いは範囲が大きくない場合には、好ましい照明範囲を得るために、電球の設置数を大幅に増加したり、電球の照射方向を調整しなければならない。
しかしながら、このような従来の方式は、時間や労力がかかるだけではなく、全体の美観性が破壊される可能性もあり、さらに照明具の購入コストが高くなるといった問題点がある。
【考案の概要】
【考案が解決しようとする課題】
【０００３】
本考案の一つの目的は、導光棒を提出し、中空本体の先端に開口、側壁に複数のスリットを備えることによって、発光素子の光が該導光棒により案内され、多方向性に光を出射させるようにして、従来のLED電球の光の一方向への出射の問題を解決することにある。
【課題を解決するための手段】
【０００４】
前記目的を達成するためには、本考案による電球は、電球ベースと、中空本体と、発光素子と、導光棒とを含む。前記中空本体が前記ベース前段に装着され、前記中空本体は複数のスリットを有し、前記複数のスリットは、前記中空本体の側壁に開設される。前記発光素子が前記ベースの一端に装着され前記中空本体内に収容される。前記導光棒が前記発光素子の上縁に配置される。前記発光素子からの光は、前記導光棒により案内され、前記導光棒の先端から、並びに前記導光棒の周縁から前記複数のスリットを介して光を出射する。
【０００５】
前記電球は、さらに、前記中空本体の外面に対応して嵌合する絶縁シェルを含む。
【０００６】
前記中空本体の側壁は、複数の離間する壁体からなり、前記スリットは、壁体と壁体との間に位置される。
【考案の効果】
【０００７】
本考案は、中空本体の先端に開口を備え、側壁に複数のスリットを備えることによって、発光素子の光を導光棒に案内し、導光棒の先端から、並びに導光棒の周縁からスリットを介して光を出射して、大きな照射領域を備えるよう光線を多方向性に出射することができる。したがって、従来の電球の出射光の照射範囲が狭い問題を解決できる。
また、絶縁シェルを中空本体の外面に対応して嵌することによって、使用者が中空本体の壁体に触ったりして触電や火傷されてしまうことを防止できる。
【図面の簡単な説明】
【０００８】
【図１】図１は、本考案による第１実施例の電球構造を示す斜視図である。
【図２】図２は、本考案による第１実施例の電球の分解図である。
【図３】図３は、本考案による第１実施例の電球の側面図である。
【図４】図４は、本考案による第１実施例の電球の部分断面図である。
【図５】図５は、本考案による第２実施例の電球構造を示す斜視図である。
【図６】図６は、本考案による第２実施例の電球の分解図である。
【図７】図７は、本考案による第２実施例の電球の側面図である。
【図８】図８は、本考案による第２実施例の電球の部分断面図である。
【考案を実施するための形態】
【０００９】
本考案の特徴及び技術内容を深く且つ具体的な理解できるため、以下に添付図面を参照しながら本考案に関わる詳しい説明をする。
図３〜図４は、それぞれ、考案による第１実施例の電球構造を示す斜視図、第１実施例の電球の分解図、第１実施例の電球の側面図、及び第１実施例の電球の部分断面図である。
図中では、電球は、電球ベース１と、中空本体２と、発光素子３と、導光棒４と、必要に応じて追加する電球カバー５とを含む。
ベース１の一端側に、外部電力のねじ穴に接続するための口金部１１を有する。ベース１の他端側に中空本体２が接続される。
【００１０】
中空本体２がベース１前段に装着され、放熱の効果を付与する。中空本体２は複数のスリット２１を有し、複数のスリット２１は、中空本体２の側壁に開設される。中空本体２の側壁は、複数の離間する壁体２２からなり、スリット２１は、壁体２２と壁体２２との間に位置される。その中、壁体２２は放熱フィンでよいが、これに限られない。
【００１１】
発光素子３がベース１の一端に装着され、中空本体２内に収容されている。本実施例では、発光素子３は発光ダイオードであるが、これに限られない。導光棒４の底端が発光素子３の上縁に配置される。その中、導光棒４の頂端の側縁に、電球カバー５を係止するための段差部４１が設けられる。
【００１２】
電球カバー５は、中空本体２の端縁に位置され、電球カバー５に、導光棒４の先端からの光を導出するための貫通孔５１を備える。電球カバー５の貫通孔５１の下方周縁が段差部４１に当接される。本実施例では、電球カバー５は、円形板で、金属放熱カバーである。電球カバー５は、放熱（発光素子３から生じた熱を排出し、熱が導光棒４または中空本体２の側壁を介して電球カバー５まで拡散し）の効果の外、中空本体２内に灰が落ち込まれることを大幅に阻止できるが、これに限られない。
【００１３】
また、電球カバー５は、その周縁から一方向に曲折して延伸しランプシェードになっても良い。
【００１４】
図３及び図４から分かるように、発光素子３からの光は、導光棒４に案内され、導光棒４の先端から貫通孔５１を介して外部に光を出射し、並びに導光棒４の周縁から複数のスリット２１を介して外部に光を出射する。これによって、前記正面型出射光及び全側方向型出射光は、大きな照射領域を備えるよう光線を多方向性に出射できるようになる。
【００１５】
図５〜図８は、それぞれ、考案による第２実施例の電球構造を示す斜視図、第２実施例の電球の分解図、第２実施例の電球の側面図、及び第２実施例の電球の部分断面図である。図中では、電球は、電球ベース１と、中空本体２と、発光素子３と、導光棒４と、必要に応じて追加する電球カバー５と、必要に応じて追加する絶縁シェル６とを含む。
【００１６】
ベース１の一端側に、外部電力のねじ穴に接続するための口金部１１を有する。ベース１の他端側に中空本体２が接続される。
【００１７】
中空本体２がベース１前段に装着され、中空本体２は複数のスリット２１を有し、複数のスリット２１は、中空本体２の側壁に開設される。中空本体２の側壁は、複数の離間する壁体２２からなり、スリット２１は、壁体２２と壁体２２との間に位置される。その中、壁体２２は放熱フィンでよいが、これに限られない。
【００１８】
発光素子３がベース１の一端に装着され、中空本体２内に収容されている。本実施例では、発光素子３は、発光ダイオードであるが、これに限られない。導光棒４の底端が発光素子３の上縁に配置される。その中、導光棒４の頂端の側縁に、電球カバー５を係止するための段差部４１が設けられる。
【００１９】
電球カバー５は、中空本体２の端縁に位置され、電球カバー５に、導光棒４の先端からの光を導出するための貫通孔５１を備える。電球カバー５の貫通孔５１の下方周縁が段差部４１に当接される。本実施例では、電球カバー５は、円形板で、金属放熱カバーである。電球カバー５は、放熱（発光素子３から生じた熱を排出し、熱が導光棒４または中空本体２の側壁を介して電球カバー５まで拡散し）の効果の外、中空本体２内に灰が落ち込まれることを大幅に阻止できるが、これに限られない。
【００２０】
また、電球カバー５は、その周縁から一方向に曲折して延伸しランプシェードになっても良い。
【００２１】
絶縁シェル６は、中空本体２の外面に対応して嵌合し、すなわち、絶縁シェル６の側壁は、中空本体２の側壁と略一致である。つまり、絶縁シェル６は、複数のスリットを有し、複数のスリットは、絶縁シェル６の側壁に開設される。絶縁シェル６の側壁は、複数の離間する壁体からなり、スリットは、側壁体と側壁体との間に位置される。絶縁シェル６が中空本体２の外面に対応して嵌合されることによって、使用者が中空本体２の壁体に触ったりして触電や火傷されてしまうことを防止できる。
【００２２】
図７及び図８から分かるように、発光素子３からの光は、導光棒４に案内され、導光棒４の先端から貫通孔５１を介して外部に光を出射し、並びに導光棒４の周縁から複数のスリット２１を介して外部に光を出射する。これによって、前記正面型出射光及び全側方向型出射光は、大きな照射領域を備えるよう光線を多方向性に出射できるようになる。
【００２３】
以上のように、本考案の特徴は、中空本体の先端に開口、側壁に複数のスリットを備えることによって、発光素子の光が該導光棒に案内され、導光棒の先端から、並びに導光棒の周縁からスリットを介して光を出射し、大きな照射領域を備えるよう光線を多方向性に出射できるようになり、従来の電球の出射光の照射範囲が狭い問題を解決できる。また、絶縁シェルが中空本体の外面に対応して嵌合されることによって、使用者が中空本体の壁体に触ったりして触電や火傷されてしまうことを防止できる。
【００２４】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【符号の説明】
【００２５】
１・・・・・電球ベース
２・・・・・中空本体
３・・・・・発光素子
４・・・・・導光棒
５・・・・・電球カバー
１１・・・・口金部
２１・・・・スリット
２２・・・・壁体
４１・・・・段差部
５・・・・・電球カバー
６・・・・・絶縁シェル
【図１】
0003161541.tif 000003
【図２】
0003161541.tif 000004
【図３】
0003161541.tif 000005
【図４】
0003161541.tif 000006
【図５】
0003161541.tif 000007
【図６】
0003161541.tif 000008
【図７】
0003161541.tif 000009
【図８】
0003161541.tif 000010
【手続補正書】
【提出日】平成22年5月31日(2010.5.31)
【手続補正１】
【補正対象書類名】実用新案登録請求の範囲
【補正対象項目名】請求項１
【補正方法】変更
【補正の内容】
【請求項１】
電球ベースと、
前記電球ベースの前段に装着され、側壁に複数のスリットが開設される中空本体と、
前記電球ベースの一端に装着され、前記中空本体内に収容される発光素子と、
前記発光素子の上縁に配置される導光棒とを含み、
前記発光素子からの光は、前記導光棒により案内され、前記導光棒の先端から、並びに前記導光棒の周縁から前記複数のスリットを介して光を出射することを特徴とする電球。
【手続補正２】
【補正対象書類名】実用新案登録請求の範囲
【補正対象項目名】請求項２
【補正方法】変更
【補正の内容】
【請求項２】
前記電球ベースの一端側に、外部電力のねじ穴に接続するための口金部を有することを特徴とする請求項１に記載の電球。
【手続補正３】
【補正対象書類名】明細書
【補正対象項目名】０００４
【補正方法】変更
【補正の内容】
【０００４】
前記目的を達成するためには、本考案による電球は、電球ベースと、中空本体と、発光素子と、導光棒とを含む。前記中空本体が前記電球ベースの前段に装着され、前記中空本体は複数のスリットを有し、前記複数のスリットは、前記中空本体の側壁に開設される。前記発光素子が前記電球ベースの一端に装着され前記中空本体内に収容される。前記導光棒が前記発光素子の上縁に配置される。前記発光素子からの光は、前記導光棒により案内され、前記導光棒の先端から、並びに前記導光棒の周縁から前記複数のスリットを介して光を出射する。